(57)【要約】【課題】  特許マップ作成システムの操作性を向上しながら分析機能を強化する。【解決手段】  特許マップ作成システム２は、表計算ソフト３のマクロ機能を使用して、特許文献の書誌的情報及び評価情報を収容するデータシート４，評価軸情報を格納するＸＹリストシート５、各種のマップシート６、特許文献検索用のキーワード及びその検索結果を記憶するキーワードシート７，特許請求の範囲の第１項を読点で区切るように分解して記憶する構成要件分解シート８を定義する。  また、特許マップ作成システム２は、特許文献の各種一覧表を表示装置へリスト表示させるリスト表示制御部１０，任意のキーワードによる検索結果を行うキーワード検索部１１，特許文献の特許請求の範囲第１項の記載内容を分解する構成要件分解部１２を備えている。【選択図】  図１
2005208737.tif 000002
【特許請求の範囲】
【請求項１】
複数の特許文献に対して、複数の評価軸によるそれぞれの評価値を付与して、マトリクス化やリスト化した特許マップを表示装置に表示する特許マップ作成システムにおいて、
或る条件で抽出された複数の特許文献に対して、出願人毎に出願件数を集計し、出願件数の多い出願人順に当該出願人による前記特許文献を前記表示装置にリスト表示する第１リスト表示制御手段と、
前記リスト表示から任意の出願人の選択入力を受け入れ、当該出願人による特許文献を前記表示装置にリスト表示する第２リスト表示制御手段と、
を備えたことを特徴とする特許マップ作成システム。
【請求項２】
任意のキーワードの入力を受け入れ、複数の特許文献から特許請求の範囲に前記キーワードを含む特許文献を検索するキーワード検索手段と、
該キーワード検索手段により検索された特許文献を前記表示装置にリスト表示する第３リスト表示制御手段と、
前記キーワード検索手段によるヒット件数、および該ヒット件数の検索対象の全数に対する比率であるヒット率を算出して前記表示装置に表示する統計表示手段と、
を備えたことを特徴とする請求項１記載の特許マップ作成システム。
【請求項３】
前記キーワード検索手段に入力されたキーワード、該キーワードによる検索結果の特許文献、出願人、ヒット件数、およびヒット比率を組として、キーワード記憶手段に記憶させると共に必要に応じて読み出しを行うキーワード記憶制御手段を備えたことを特徴とする請求項２記載の特許マップ作成システム。
【請求項４】
前記キーワード検索手段は、前記キーワード記憶手段に記憶されたヒット件数、またはヒット比率の多いものから順に並べ替えたキーワードを前記表示装置に表示することを特徴とする請求項３記載の特許マップ作成システム。
【請求項５】
前記第３リスト表示制御手段によるリスト表示中の最新の出願日を有する特許文献と最古の出願日を有する特許文献とを他の特許文献とは異なる色分けにより前記表示装置に表示する最新最古表示制御手段と、
第３リスト表示制御手段による表示状態から全件リスト表示に復帰する表示復帰手段と、
を備えたことを特徴とする請求項２記載の特許マップ作成システム。
【請求項６】
前記キーワード検索手段により前記キーワードで検索されなかった特許文献を前記表示装置にリスト表示する第４リスト表示制御手段と、
第４リスト表示制御手段による表示状態から全件リスト表示に復帰する表示復帰手段と、
を備えたことを特徴とする請求項２記載の特許マップ作成システム。
【請求項７】
前記キーワード検索手段は、前記特許文献の目的及び又は効果に前記キーワードを含む特許文献を検索し、目的及び又は効果により検索された特許文献をキーワードと共に前記キーワード記憶手段に記憶させ、
目的及び又は効果により検索された特許文献を特許請求の範囲から検索された特許文献と共に前記第３リスト表示制御手段に表示させることを特徴とする請求項２記載の特許マップ作成システム。
【請求項８】
前記リスト表示中の特許文献から一つの特許文献の指定を受け入れ、指定された特許文献の詳細内容を前記表示装置に表示する詳細表示手段を備えたことを特徴とする請求項１乃至請求項７の何れか１項に記載の特許マップ作成システム。
【請求項９】
複数の特許文献に対して、複数の評価軸によるそれぞれの評価値を付与して、マトリクス化やリスト化した特許マップを表示装置に表示する特許マップ作成システムにおいて、
特許文献毎に特許請求の範囲を読点で区切られた構成要件毎に分解する構成要件分解手段と、
前記分解した構成要件に、出願番号及び該構成要件の記載順位を関連づけて記憶手段に記憶させる構成要件記憶制御手段と、
前記分解された構成要件毎に前記表示装置に表示させる構成要件表示制御手段と、
を備えたことを特徴とする特許マップ作成システム。
【請求項１０】
前記表示された構成要件を出願番号または構成要件の記載順位でソートして、ソートした結果を表示装置に表示する構成要件ソート手段を備えたことを特徴とする請求項９記載の特許マップ作成システム。
【請求項１１】
前記表示された構成要件の語句から任意に選択されたキーワードまたは任意に入力されたキーワードにより表示中の構成要件から検索して、検索結果を前記表示装置に表示する構成要件検索手段を備えたことを特徴とする請求項１０記載の特許マップ作成システム。
【請求項１２】
前記構成要件毎に設けられた簡略表現欄に、一括、または個別に指定された特許文献毎に、前記キーワードに対応する慣用技術用語を挿入する簡略表現更新手段を備えたことを特徴とする請求項１１記載の特許マップ作成システム。
【請求項１３】
複数の特許文献に対して、複数の評価軸によるそれぞれの評価値を付与して、マトリクス化やリスト化した特許マップを表示装置に表示する特許マップ作成プログラムにおいて、
或る条件で抽出された複数の特許文献に対して、出願人毎に出願件数を集計し、出願件数の多い出願人順に当該出願人による前記特許文献を前記表示装置にリスト表示する第１リスト表示制御プログラムと、
前記リスト表示状態から任意の出願人の選択入力を受け入れ、当該出願人による特許文献を前記表示装置にリスト表示する第２リスト表示制御プログラムと、を備えたことを特徴とする特許マップ作成プログラム。
【請求項１４】
任意のキーワードの入力を受け入れ、複数の特許文献から特許請求の範囲に前記キーワードを含む特許文献を検索するキーワード検索プログラムと、
該キーワード検索プログラムにより検索された特許文献を前記表示装置にリスト表示する第３リスト表示制御プログラムと、
前記キーワード検索プログラムによるヒット件数、および該ヒット件数の検索対象の全数に対する比率であるヒット率を算出して前記表示装置に表示する統計表示プログラムと、
を備えたことを特徴とする請求項１３記載の特許マップ作成プログラム。
【請求項１５】
前記キーワード検索プログラムに入力されたキーワード、該キーワードによる検索結果の特許文献、出願人、ヒット件数、およびヒット比率を組として、キーワード記憶手段に記憶させると共に必要に応じて読み出しを行うキーワード記憶制御プログラムを備えたことを特徴とする請求項１４記載の特許マップ作成プログラム。
【請求項１６】
前記キーワード検索プログラムは、前記キーワード記憶手段に記憶されたヒット件数、またはヒット比率の多いものから順に並べ替えてキーワードを前記表示装置に表示することを特徴とする請求項１５記載の特許マップ作成プログラム。
【請求項１７】
前記第３リスト表示制御プログラムによるリスト表示中の最新の出願日を有する特許文献と最古の出願日を有する特許文献とを他の特許文献とは異なる色分けにより前記表示装置に表示する最新最古表示制御プログラムと、
第３リスト表示制御プログラムによる表示状態から全件リスト表示に復帰する表示復帰プログラムと、
を備えたことを特徴とする請求項１４記載の特許マップ作成プログラム。
【請求項１８】
前記キーワード検索プログラムにより前記キーワードで検索されなかった特許文献を前記表示装置にリスト表示する第４リスト表示制御プログラムと、
第４リスト表示制御プログラムによる表示状態から全件リスト表示に復帰する表示復帰プログラムと、
を備えたことを特徴とする請求項１４記載の特許マップ作成プログラム。
【請求項１９】
前記キーワード検索プログラムは、前記特許文献の目的及び又は効果に前記キーワードを含む特許文献を検索し、目的及び又は効果により検索された特許文献をキーワードと共に前記キーワード記憶手段に記憶させ、
目的及び又は効果により検索された特許文献を特許請求の範囲から検索された特許文献と共に前記第３リスト表示制御プログラムに表示させることを特徴とする請求項１４記載の特許マップ作成プログラム。
【請求項２０】
前記リスト表示中の特許文献から一つの特許文献の指定を受け入れ、指定された特許文献の詳細内容を前記表示装置に表示する詳細表示プログラムを備えたことを特徴とする請求項１３乃至請求項１９の何れか１項に記載の特許マップ作成プログラム。
【請求項２１】
複数の特許文献に対して、複数の評価軸によるそれぞれの評価値を付与して、マトリクス化やリスト化した特許マップを表示装置に表示する特許マップ作成プログラムにおいて、
特許文献毎に特許請求の範囲を読点で区切られた構成要件毎に分解する構成要件分解プログラムと、
前記分解した構成要件に、出願番号及び該構成要件の記載順位を関連づけて記憶手段に記憶させる構成要件記憶制御プログラムと、
前記分解された構成要件毎に前記表示装置に表示させる構成要件表示制御プログラムと、
を備えたことを特徴とする特許マップ作成プログラム。
【請求項２２】
前記表示された構成要件を出願番号または構成要件の記載順位でソートして、ソートした結果を表示装置に表示する構成要件ソートプログラムを備えたことを特徴とする請求項２１記載の特許マップ作成プログラム。
【請求項２３】
前記表示された構成要件の語句から任意に選択されたキーワードまたは任意に入力されたキーワードにより表示中の構成要件から検索して、検索結果を前記表示装置に表示する構成要件検索プログラムを備えたことを特徴とする請求項２２記載の特許マップ作成プログラム。
【請求項２４】
前記構成要件毎に設けられた簡略表現欄に、一括、または個別に指定された特許文献毎に、前記キーワードに対応する慣用技術用語を挿入する簡略表現更新プログラムを備えたことを特徴とする請求項２３記載の特許マップ作成プログラム。
【発明の詳細な説明】
【技術分野】
【０００１】
本発明は、複数の特許文献を２つの評価軸の各評価値によってマトリックス状に分類した特許マップを作成する特許マップ作成システム及び特許マップ作成プログラムに関する。
【背景技術】
【０００２】
従来より、パーソナルコンピュータにインストールされた表計算ソフト（例えば、マイクロソフト社製、エクセル（商標）などのスプレッドシートプログラム）を利用して、複数の特許文献を分析評価して特許マップを作成する特許マップ作成システムが知られている。
【０００３】
例えば、特許文献２記載の特許マップ作成システムにおいては、表計算ソフト（スプレッドシート・プログラム）などのマクロ機能を利用して、評価対象の特許文献の書誌的事項を公開特許公報データベースから基礎データシート上に取り込み、別途設定された評価軸と評価値を記憶した評価データシートを参照して、基礎データシート上の各特許文献に評価値を付与した評価済基礎データシートを作成していた。そして、この評価済基礎データシートに基づいて、各種特許マップを表示したり、グラフ表示や統計表の表示を行って、他社の技術動向などの検討に使用されていた。
【特許文献１】特開平８−２２１４３５号公報（第３頁、図１）
【特許文献２】特開２００１−２８２８５２号公報（第６頁、図２）
【特許文献３】特開２００２−３４２４４７号公報（第３頁、図１）
【発明の開示】
【発明が解決しようとする課題】
【０００４】
しかしながら、近年、経営判断における特許分析の重要性が増し、特許マップ作成システムの操作性を向上しながらさらに分析機能を強化する必要があるという問題点があった。
【課題を解決するための手段】
【０００５】
本発明は、上記問題点を解決するため、複数の特許文献に対して、複数の評価軸によるそれぞれの評価値を付与して、マトリクス化やリスト化した特許マップを表示装置に表示する特許マップ作成システムにおいて、或る条件で抽出された複数の特許文献に対して、出願人毎に出願件数を集計し、出願件数の多い出願人順に当該出願人による前記特許文献を前記表示装置にリスト表示する第１リスト表示制御手段と、前記リスト表示から任意の出願人の選択入力を受け入れ、当該出願人による特許文献を前記表示装置にリスト表示する第２リスト表示制御手段と、を備えたことを要旨とする。
【発明の効果】
【０００６】
本発明に係る特許マップ作成システムによれば、或る条件で抽出された複数の特許文献から出願件数の最も多い出願人順に特許文献を自動的に並べ替えることができるので、出願人毎の特許出願状況を容易に把握することができるという効果がある。
【発明を実施するための最良の形態】
【０００７】
次に図面を参照して、本発明の実施の形態を詳細に説明する。尚、本発明で特許と呼ぶものには、実用新案を含むものである。言い換えれば、本特許マップ作成システム及び特許マップ作成プログラムは、特許及び実用新案を対象としているが、以下の説明では、単に特許と呼ぶことにしている。
【０００８】
図１は、本発明に係る特許マップ作成プログラムをユーザ端末１にインストールして実現された特許マップ作成システム２と他システムとの連携を説明するシステム全体図である。特許マップシステム２は、複数の特許文献に対して、複数の評価軸によるそれぞれの評価値を付与して、マトリクス化やリスト化した特許マップを図示しない表示装置に表示するものである。
【０００９】
システム全体は、ユーザ端末１と、特許情報サービス会社等が提供する公開特許情報検索システム３１と、公開特許情報検索システム３１から予約検索等によりダウンロードした特許文献の書誌的情報及び該特許文献毎に分類評価情報を蓄積した特許分類・評価システム３２と、自社出願特許を出願前から権利消滅まで管理する自社特許管理システム３３と、社内の発明届を電子メールで受け付ける電子発明届システム３４とを備え、これらは相互に図示しないネットワークを介して接続され、必要に応じて相互に参照可能となっている。
【００１０】
公開特許情報検索システム３１は、ＣＤ−ＲＯＭなどの記憶媒体によって発行される公開特許公報や特許公報などの書誌的事項（公報番号、出願番号、出願日、出願人、国際特許分類など）や請求の範囲・詳細な説明及び図面などの公報に関する詳細データを図示しない特許データベースに蓄積している。
【００１１】
また、公開特許情報検索システム３１は、特許データベースを検索するための検索プログラムを内蔵して種々の検索条件式に該当する公報を検索することができるようになている。これにより、特許分類・評価システム３２からの検索要求に応じて検索結果を返したり、ユーザ端末１からの特許文献番号による問い合わせに応じて特許文献の抄録や全文・全図等の詳細内容データを表示やダウンロードさせることができる。
【００１２】
電子発明届システム３４は、社内発明者からの発明提案原稿および図面を電子的に受け付ける発明届の電子化システムであり、ユーザ端末１からの社内整理番号による問い合わせに応じて、発明提案原稿・図面、および発明届出時の知的財産部の評価および担当者名等を応答することができるようになっている。
【００１３】
自社特許管理システム３３は、各種の期限管理や権利管理を行うと共に、自社出願特許に関する各種文献の電子保管を行うものである。
【００１４】
ユーザ端末１は、キーボード及びマウス等の入力装置、液晶表示装置等の表示装置及びハードディスク装置等の記憶装置を備え、公開特許情報検索システム３１にアクセスして、検索・内容表示や、データのダウンロードができるようになっている。また、ユーザ端末１から電子発明届システム３４にアクセスして、出願前の発明提案原稿および図面やその評価を検索・内容表示することができるようになっている。さらに、ユーザ端末１から社内整理番号により自社特許管理システム３３にアクセスして、公開前の自社出願特許文献等の検索、内容表示ができるようになっている。
【００１５】
また、特許分類・評価システム３２内の自社特許管理データは、自社特許管理システム３３の情報にて自動的に更新するようになっている。
【００１６】
尚、特に限定されないが本実施形態では、特許分類・評価システム３２の内部には、公開された特許文献データ毎の全情報（抄録、全文、全図）を保有することなく、書誌的事項のみを取り込むようにしている。そして、必要に応じて特許分類・評価システム３２やユーザ端末１から特許公開番号や特許登録番号またはこれらに相当する符号番号により、公開特許情報検索システム３１にアクセスして、当該特許文献の抄録、全文、全図を参照可能としている。
【００１７】
ユーザ端末１に本発明の特許マップ作成プログラムをインストールして構成される特許マップ作成システム２は、表計算ソフト３（例えば、Microsoft 社製、Excel （商標）などのスプレッドシートプログラム）と、詳細表示制御部１３とを備えている。
【００１８】
詳細表示制御部１３は、表計算ソフト３と連係して、データシート４上の特許文献、またはマップシート６上の特許文献の詳細内容（抄録、全文、全図等）を表示する場合、公開特許情報検索システム３１，特許分類・評価システム３２，自社特許管理システム３３，電子発明届システム３４にアクセスして、当該特許文献の詳細内容を取得して表示できるようになっている。
【００１９】
表計算ソフト３は、そのマクロ機能を使用して、評価対象の特許文献の書誌的情報及び評価情報を収納するデータシート４、評価軸情報を収納するＸＹリストシート５、縦の評価軸及び横の評価軸の組み合わせを有する複数のマップシート６が定義されている。そして、これらのシートに対して、データ入出力、データ選択、データ集計、グラフ作成等の操作により特許マップを作成して、図示しない表示装置に特許マップを表示したり、図示しない印刷装置へ出力して特許マップを印刷できるようになっている。
【００２０】
この表計算ソフト３による基本的な特許マップ作成機能は、本願出願人による特願２０００−０８９８６６号に開示されたものと同様である。
【００２１】
データシート４、ＸＹリストシート５及び複数のマップシート６などは、特許評価のテーマ毎に個別の名称が付与されて、特許マップファイル２１（Excel ではブックと呼ばれる）として、特許マップ作成システム２からユーザ端末１の図示しない磁気ディスク装置等の補助記憶装置に入出力可能となっている。この入出力機能は、表計算ソフト３の入出力機能を使用した特許マップ入出力部９により行われる。
【００２２】
複数のマップシート６には、例えば、出願人、出願年、技術的分類（ＩＰＣ分類など）の中から選択された２つの組み合わせによる定型特許マップシートや、各種統計マップシート、定型バブルチャートシート、共同出願人マップシート、独自情報によるマップシート等が含まれる。
【００２３】
特許マップ入出力部９は、入力機能と出力機能とを有する。特許マップ入出力部９の入力機能は、既存又は作成中の特許マップファイル２１やデータ／ＸＹリストシート２２から特許マップデータをデータシート４へ入力する。また、新たな特許文献に基づいて新規な特許マップを作成したり、既存の特許マップに新たな特許文献データを追加したりする場合、ＣＳＶ形式の入力ファイル２４からデーターシート４へ特許文献の書誌的事項を取り込む。
【００２４】
特許マップ入出力部９の出力機能は、特許マップブックを構成するデータシート４，ＸＹリストシート５及びマップシート６から、保存用の特許マップブックとして特許マップファイル２１、特許マップブックに代わる軽量化したデータとしてデータシートとＸＹリストシートとの対であるデータ／ＸＹリストシート２２を出力したり、特許マップシステムを有しないユーザー端末へ特許マップを送信して表示させるためや可搬型記憶媒体へ出力するためにＨＴＭＬ出力ファイル２３へ特許マップを出力する。
【００２５】
次に本発明の特徴として、表計算ソフト３には、そのマクロ機能を使用して、検索用のキーワードとその検索結果を収容するキーワードシート７、及び特許請求の範囲を分解した結果を収容する構成要件分解シート８が定義されている。
【００２６】
さらに、表計算ソフト３には、そのマクロ機能を利用して、リスト表示制御部１０，キーワード検索部１１，構成要件分解部１２が設けられている。
【００２７】
リスト表示制御部１０は、或る条件で抽出された複数の特許文献に対して、出願人毎に出願件数を集計し、出願件数の多い出願人順に当該出願人による特許文献を表示装置にリスト表示する第１リスト表示制御手段と、リスト表示から任意の出願人の選択入力を受け入れ、当該出願人による特許文献を表示装置にリスト表示する第２リスト表示制御手段と、後述するキーワード検索部１１により検索された特許文献を表示装置にリスト表示する第３リスト表示制御手段と、第３リスト表示制御手段によるリスト表示中の最新の出願日を有する特許文献と最古の出願日を有する特許文献とを他の特許文献とは異なる色分けにより前記表示装置に表示する最新最古表示制御手段と、キーワード検索部１１により検索されなかった特許文献を表示装置にリスト表示する第４リスト表示制御手段とを備えている。
【００２８】
キーワード検索部１１は、任意のキーワードの入力を受け入れ、複数の特許文献から特許請求の範囲に前記キーワードを含む特許文献を検索するキーワード検索手段と、キーワード検索手段によるヒット件数、および該ヒット件数の検索対象の全数に対する比率であるヒット率を算出して表示装置に表示する統計表示手段とを備えている。
【００２９】
構成要件分解部１２は、特許文献毎に特許請求の範囲第１項を読点で区切られた構成要件毎に分解する構成要件分解手段と、この分解した構成要件に、出願番号及び該構成要件の記載順位を関連づけて記憶手段に記憶させる構成要件記憶制御手段と、分解された構成要件毎に表示装置に表示させる構成要件表示制御手段とを備えている。
【００３０】
図２は、本発明に係る特許マップ作成システムにおける特許マップ作成の全体の流れを説明する概略フローチャートである。
【００３１】
特許分類・評価システム３２は、公開特許情報検索システム３１から予約検索により、新規特許文献データの書誌的情報を取り込む。
【００３２】
この新規特許文献データの取込には、公開特許情報検索システム３１に抽出用の検索式を予め登録しておき、定期的に公開特許情報検索システム３１に格納された最新特許を自動的に検索式で抽出した結果の通知を電子メール等により受ける。そして、検索結果の特許文献データを例えば、レコード内のデータをカンマで区切ったＣＳＶ形式等で特許分類・評価システム３２に取り込む。
【００３３】
これは、一般に選択的情報配信（ＳＤＩ、Selective Dissemination of Information）とよばれていて、特許文献の検索式を予め登録して、当該検索式に適合する特許文献を抽出した結果の配信を受けることを予約検索機能と呼んでいる。前記検索式の例としては、関係業界に属する出願人やＩＰＣ分類による技術範囲がある。
【００３４】
特許マップ作成システムは、まず、ステップ（以下、ステップをＳと略す）１０でデータシート４を初期化し、Ｓ１２で次いで評価軸を設定してＸＹリストシート５に書き込む。この評価軸には、技術分類の部位部品による評価軸（Ｘ軸）、技術分類の機能による評価軸（Ｙ軸）、重要度、審査請求、採用状況、ＩＰＣ分類、出願人、出願年等を含む。
【００３５】
次いで、Ｓ１４で、評価対象特許の書誌的事項を入力ファイル２４から取り込み、データシート４へ格納する。データシートの詳細は、図５を参照して後述する。Ｓ１４で取り込む入力ファイル２４は、特許分類・評価システム３２から検索条件で抽出した評価対象特許の書誌的事項を格納するファイルであり、例えば、１件毎の特許文献情報を１レコードとし、レコードを構成する各フィールドをコンマで区切ったＣＳＶ形式として作成される。
【００３６】
次いで、Ｓ１６でデータシート４上の各特許文献を詳細表示させながら、Ｓ１８でＸＹリストシート５で定義した複数の評価軸によるそれぞれの評価値をデータシート４上の各特許文献に選択入力し、Ｓ２０で次レコードがなくなるまで、Ｓ１６とＳ１８とを繰り返す。データシート４上の全てのレコードに評価値が付与された状態を評価済データシートとも呼ぶ。
【００３７】
次いで、Ｓ２２で、こうした評価済みのデータシート４に含まれる特許文献を必要に応じて検索条件により絞り込み、データシート上の全特許文献、または絞り込まれた特許文献に対して、２つの評価軸の組み合わせによる種々のマトリクス集計をしたマップシート６を作成する。
【００３８】
次いで、Ｓ２４で、このマップシート６に基づいて各種特許マップを表示装置に表示したり、印刷装置へ出力したり、Ｓ２６で特許マップのマトリクスの特定のセルを選択して、Ｓ２８で当該セルの特許文献の詳細情報（抄録、全文、全図）を公開特許情報検索システム３１，自社特許管理システム３３、電子発明届システム３４を参照して表示装置に表示する。
【００３９】
尚、Ｓ２２で作成したマップシート６は、棒グラフ等のグラフ表示をしたり、各種統計表を表示したりすることに用いられる。
【００４０】
図３は、特許分類・評価システム３２の関係データベースを構成する各テーブル間の連携を説明するＥＲ（Entity Relationship ）図であり、線分によるテーブル項目間の接続は、「１対１」の関係を示す。また、矢印によるテーブル項目間の接続は、「１対多」の関係を示し、矢の元が「１」、矢の先が「多」である。
【００４１】
図３に示すように、特許分類・評価システムのデータベースは、出願番号を主要なキーとして、各特許文献データテーブルを関連づけている。また出願番号は、書誌データテーブル１０７と出願前から社内特許文献情報を管理している社内特許文献データテーブル１０１とのリンクにもなっている。これにより、他社特許文献を含む公開特許情報と社内特許文献情報とを一元管理することができるようになっている。
【００４２】
社内特許文献データ（Ａデータとも呼ぶ）１０１は、識別番号であるＩＤ、公報種別、公開番号、公告番号、登録番号、公開日、公告日、登録日、発明の名称、国際特許分類ＩＰＣ、出願番号、出願日、出願人、発明者、社内整理番号、技術グループ、知財担当者、発明提案を行った届出部署等を格納している。
【００４３】
また図示しないが、社内特許文献データ１０１は、外国出願に関する項目や、特許とその適用製品の会社への貢献度に関するデータを格納している。
【００４４】
発明者テーブル１０３は、出願番号、発明者の氏名、発明者の記載順位を格納している。
【００４５】
出願人テーブル１０５は、出願番号、出願人の氏名又は名称、出願人の記載順位を格納している。
【００４６】
書誌データテーブル１０７は、公開番号、発明の名称、ＩＰＣ分類、出願人、特許（公告）番号、出願番号、出願日、公開日、発明者、特許文献データを取り込んだ年月日を示す取込日、等を格納している。
【００４７】
集計出願人テーブル１０９は、集計コード、集計出願人、出願人の氏名又は名称を格納している。
【００４８】
評価マスタ１１１は、識別番号であるＩＤ、特許文献の重要度を示す評価コードを格納している。
【００４９】
Ｆタームデータテーブル１１３は、公開番号、出願番号、Ｆタームのテーマコード（５桁）、図示しないが観点（２桁のアルファベット）及び数字（２桁）を格納している。Ｆタームとは、File Forming Term の略号で、特許審査の先行技術調査を効率的に行うために、機械検索用に開発された技術項目である。Ｆタームは、ＦＩ分類の特定の範囲を「製法」「組成」「用途」「構成」「方法」など種々の観点で対象公報を分析して付与されており、詳細な検索を可能とする検索コード体系である。２０００年以降の公開特許公報には、Ｆタームが記載されている。
【００５０】
マップデータテーブル１１５は、マップデータの番号であるＭＡＰ＿Ｎｏ、管理番号、出願番号、Ｘ軸名、Ｙ軸名、社内整理番号、分類コード、等を格納している。
【００５１】
分類データテーブル１１７は、出願番号、第１階層グループの分類を示す技術コード、社内の詳細な技術分類コードである社内技術分類コード等を格納している。
【００５２】
評価データテーブル１１９は、出願番号、技術コード、社内技術分類コード、評価した担当者名、評価の入力日、評価の順位等を格納している。
【００５３】
書誌データテーブル１０７の出願番号に対して、分類データテーブル１１７および評価データテーブル１１９は、［１：多］の対応関係にあるので、特許評価データベース５３は、１件の特許文献についても複数の分類・評価データを有することができる。
【００５４】
Ｆターム基本台帳テーブル１２１は、特許情報サービス会社等から購入したデータであり、テーマコード、テーマ名、当該テーマが対応するＦＩ範囲、Ｆタームを格納している。尚、図３には図示しなかったが、Ｆターム基本台帳テーブル１２１のＦタームは、Ｆタームデータテーブル１１３の観点及び数字に１対多の対応関係がある。
【００５５】
テーマデータテーブル１２３は、公開番号、出願番号、評価テーマ名を格納している。技術分類コードテーブル１２５は、識別番号であるＩＤ、第１階層グループの分類を示す技術分類、技術分類に対して付与されたコードである技術コードを格納している。
【００５６】
分類詳細データテーブル１２７は、ＩＰＣ分類、ＩＰＣ分類に対する説明を格納している。テーママスタテーブル１２９は、識別番号であるＩＤ、評価テーマ名を格納している。
【００５７】
配布テーブル１３１は、識別番号であるＩＤ、評価対象の複数特許文献が第１階層グループに分類される基準である技術グループの分類を示す技術コード、第２階層グループの特許文献を評価する評価担当者の氏名である担当、技術グループ毎の代表ワークステーションのメールアドレスである技術グループメールアドレス、前記担当のメールアドレスである担当メールアドレスを格納している。
【００５８】
社内技術分類テーブル１３３は、第１階層グループの名称である技術分類、技術分類のコードである技術コード、評価軸のコードである軸コード、評価軸毎の技術分類の大分類、大分類コード、同中分類、中分類コード、同小分類、小分類コード、図示しないが同細分類及び細分類コード、大分類コードから細分類コードまでを纏めた社内技術分類コード、社内技術分類表示名等を格納している。
【００５９】
次に、図４のデータシート表示画面、図５のＸＹリストシート表示画面を参照して、本特許マップ作成システムにおけるデータシート及びＸＹリストシートを説明する。
【００６０】
図４において、データシート表示画面は、［評価等の入力／内容表示］釦３０１と、［出願年、出願人、分類コード自動入力］釦３０２と、［メニューに戻る］釦３０３と、［ＲＡＭ］というテーマ名が表示されたテーマ名表示窓３０４を備えている。
【００６１】
テーマ名表示窓３０４に表示されるテーマ名は、特許マップファイル（ブック）２１に付与された名称が用いられる。
【００６２】
データシート表示画面は、データシートの内容を表示する欄として、公開番号を表示する公開番号欄３０５，発明の名称を表示する名称欄３０６，ＩＰＣ分類を表示する分類欄３０７，出願人を表示する出願人欄３０８，特許（公告）番号を表示する特許（公告）番号欄３０９，出願番号を表示する出願番号欄３１０，公開日を表示する公開日欄３１１，出願日を表示する出願日欄３１２，発明者を表示する発明者欄３１３，発明の特徴点を表示する特徴点欄３１４，例えば技術分類の部位部品軸であるＸ軸の評価値を表示するＸ軸欄３１５，例えば技術分類の機能軸であるＹ軸の評価値を表示するＹ軸欄３１６，重要度により付与された評価値を表示する重要度欄３１７，審査請求の状況による評価値を表示する審査請求欄３１８，採用状況による評価値を表示する採用状況欄３１９，社内整理番号を表示する社内整理番号欄３２０，ＩＰＣ分類コードをさらにデータシート内でコード化した分類コード欄３２１，出願人をデータシート内でコード化した出願人コード欄３２２，及び出願年をデータシート内でコード化した出願年コード欄３２３を備えている。
【００６３】
以上の各欄は、データシートの特許文献情報であるレコードが有するフィールドに対応している。そして、複数の特許文献に関する各書誌的事項がデータシートに取り込まれた後に、［出願年、出願人、分類コード自動入力］釦３０２をクリックすると、データシートの分類コード欄３２１及び出願人コード欄３２２に、自動的に頻度の高いものから順に数字コードが付与されて、表示画面に表示されるとともに、図５で説明するＸＹリストシートの分類欄４０６及び出願人欄４０７にも同じ数字コードが付与される。
【００６４】
また、社内整理番号欄３２０の内容は、図１の社内整理番号対応表２５を参照して、データシートの特許文献毎に出願番号に対応する社内整理番号を社内整理番号フィールドに格納したものである。
【００６５】
［評価等の入力／内容表示］釦３０１は、選択されたデータシート上の特許文献の詳細内容（抄録、全文、全図）を表示させながら、該特許文献に対する評価値を入力するために使用するものである。［評価等の入力／内容表示］釦３０１がクリックされると、データシート表示画面から図示しない評価入力画面へ移り、ＸＹリストシート５に定義されたＸ軸の技術分類、Ｙ軸の技術分類、重要度、審査請求の状況、採用状況等の各評価項目の評価値、及びフリーワードで記述可能な特徴点を入力可能な画面となる。
【００６６】
また、評価入力画面では、選択されている特許文献の公開番号、出願番号、または社内整理番号を検索条件として、公開特許情報検索システム３１，自社特許管理システム３３，または電子発明届システム３４をアクセスして、詳細内容を取得し、詳細内容を表示装置の画面に表示するようになっている。
【００６７】
また、評価入力画面からは、社内整理番号を検索条件として、電子発明届システム３４をアクセスして、発明を届出した部署、発明提案書の内容、社内発明者、知的財産部の担当者、知的財産部の評価、研究テーマ番号等を表示装置へ表示可能となっている。
【００６８】
さらに、評価入力画面からは、社内整理番号を検索条件として、自社特許管理システム３３をアクセスして、発明が適用（予定も含む）された車種機種、外国出願の有無、審査請求の有無、審査請求日、権利の生死、当該発明の会社への貢献度等を表示装置の画面に表示するようになっている。
【００６９】
図５は、図１のＸＹリストシート５を表示した画面の例である。ＸＹリストシート５は、Ｘ軸評価値、Ｙ軸評価値、重要度、審査請求、採用状況、ＩＰＣ分類、出願人、出願年の各フィールドと、これらの各フィールドに対応する評価値を数字化したフィールドを有する。そして、ＸＹリストシートを表示した画面には、上記各フィールドに対応して、Ｘ軸評価値を表示するＸ軸欄４０１，Ｙ軸評価値を表示するＹ軸欄４０２，重要度を表示する重要度欄４０３，審査請求の状況を表示する審査請求欄４０４，製品への採用状況を表示する採用状況欄４０５，ＩＰＣ分類を表示する分類欄４０６，出願人を表示する出願人欄４０７，出願年を表示する出願年欄４０８を有する。そして、各欄には、例えば、Ｘ軸のモータには１、Ｙ軸の電力消費は２，審査請求の満了は４、というように評価値を数字化した値が同時に表示されている。
【００７０】
図６に示す一覧表示画面（リスト表示画面）は、公報抽出機能、技術グループ及び又は担当者設定機能、公報一覧表示機能を提供している。公報抽出を行う場合は、取込日メニュー７０１で取り込み日を選択し、必要に応じて技術Ｇメニュー７０３，担当者メニュー７０５で技術グループ、担当者を選択した後、［抽出］釦７０７をクリックすると、選択した条件で公報が抽出され、公報の一覧表が画面下部の一覧表示エリア７２９に表示される。
【００７１】
一覧表示エリア７２９は、データ番号欄７３１，公開番号欄７３３，発明の名称欄７３５，ＩＰＣ分類欄７３７，出願人欄７３９，出願番号欄７４１，発明者欄７４３，取込日欄７４５を備えて、それぞれのデータ項目が表示されるようになっている。
【００７２】
一覧表示中の画面から公報一つを選択する場合、当該公報の表示行をマウスでクリックすることにより選択可能となっている。
【００７３】
技術グループ及び又は担当者を設定する場合、技術Ｇメニュー７０９で技術グループを選択し、担当者メニュー７１１で担当者を選択して、［設定］釦７１３をクリックする。この場合、一覧表表示エリア７２９内の選択した行のみ設定するか、全行一括設定するか、特許文献の詳細を表示中の行である詳細表示行のみ設定するかの設定モードを選択できるようになっている。
【００７４】
図６の一覧表示画面の右側上部には、［戻る］釦７１５，［技術評価］釦７１７，［検索条件］釦７１９，［評価状況］釦７２１が設けられ、それぞれの釦をクリックすると、図示しないメイン画面、図７の評価画面、図８の検索条件指定画面、図示しない評価状況確認画面へ遷移する。評価状況確認画面は、各評価担当者の特許文献毎の評価状況を確認する画面である。
【００７５】
また、図６の一覧表示画面の右側上部には、［技術Ｇ窓口メール送信］釦７２３、［担当者メール送信］釦７２５、［データ取込］釦７２７が設けられている。
【００７６】
［技術Ｇ窓口メール送信］釦７２３をクリックすると、技術コード毎に予め定められた代表ワークステーション５へ分配処理要求メールを送信できるようになっている。また［担当者メール送信］釦７２５をクリックすると、担当ワークステーション７へ評価処理要求メールを送信できるようになっている。
【００７７】
［データ取込］釦７２７は、外部から各種のデータを取り込む場合に使用され、［データ取込］釦７２７をクリックすると、データ取込メニューが開いて、外部公報データ（Ｓデータ）取込、外部評価データ取込−部位部品軸、外部評価データ取込−機能軸、Ｆタームデータ取込、既存特許マップ取込が選択可能となる。このメニューからデータ取込を選択して実行する。
【００７８】
図７に示す評価画面は、詳細表示画面とも呼ばれ、一覧表示された複数の特許文献から任意の特許文献を選択して、その内容を詳細表示する画面である。
【００７９】
図７の評価画面は、表示中の特許文献の番号を表示する番号表示部８０１と、出願人を表示する出願人表示部８０３と、表示する特許文献を抽出群から選択する選択部８０５と、例えば特許文献の重要度を示す評価コードを設定する評価コード設定部８０７，特許文献が対象装置のいずれの部位又は部品に該当するかを設定する部位／部品軸設定部８０９，特許文献が対象装置のいずれの機能に該当するかを設定する機能分類軸設定部８１１と、特許文献の特徴点を記述したテキストを入力する特徴点ウィンドウ８２７とを備えている。
【００８０】
また図７の評価画面は、表示エリア８２５に抄録（例えば、書誌と要約書）を表示した状態であり、［抄録⇒全文表示］釦８２１をクリックすると、表示エリア８２５に明細書全文及び図面全体を表示することができるようになっている。逆に全文表示状態では、図示しない［全文⇒抄録表示］釦が現れ、この釦をクリックすると、全文から抄録表示に切り替わる。表示エリア８２５は、［△］と［▽］のスクロール釦８２９，８３１により表示部分を任意に選択可能である。
【００８１】
また図７の評価画面は、評価コード設定部８０７，部位／部品軸設定部８０９，機能分類軸設定部８１１を備えると共に、特徴点ウィンドウ８２７と、［キーワード検索］釦８３３と、を備えている。評価担当者は、特許文献の抄録または全文を表示しながら、上記メニュー及びウィンドウを使用して評価コード、部位／部品軸、機能分類軸、特徴点を示すテキストをそれぞれ入力することにより、当該特許文献の評価を行う。
【００８２】
また、［キーワード検索］釦８３３は、評価画面の呼出元の一覧表示画面中の特許文献からキーワード検索して、キーワードを含む特許文献を抽出する機能を実現するものである。
【００８３】
図８の検索条件指定画面は、出願人や、出願年、各種評価軸による検索条件を指定して、検索実行を指示する画面である。この検索条件指定画面は、［戻る］釦９０１，表示パターン選択部９０３、技術グループ選択部９０５、担当者選択部９０７、部位部品軸選択部９０９，機能軸選択部９１１，テーマ選択部９１３，出願人選択部９１５，評価コード選択部９１７，フリーキーワード入力部９１９，データ範囲選択部９２１，Ａデータ（社内データ）設定部９２３，［クリア］釦９２４，［ＣＳＶ出力］釦９２３，［抽出］釦９２５を備えている。
【００８４】
表示パターン選択部９０３は、検索対象となる特許文献データを公開公報のみか、社内特許データを含めて検索するかなどを選択する。技術グループ選択部９０５は、技術グループで検索対象を絞り込むときに設定される。担当者選択部９０７は、担当者で検索対象を絞り込むときに設定される。
【００８５】
部位部品軸選択部９０９，機能軸選択部９１１，テーマ選択部９１３，出願人選択部９１５，評価コード選択部９１７は、それぞれ部位部品軸、機能軸、テーマ、出願人、評価コードを検索条件として指定する。
【００８６】
フリーキーワード入力部９１９はフリーキーワードによる検索を可能とし、データ範囲選択部９２１は、検索対象のデータ範囲を年月日による期間または取込日の選択でおこなう。Ａデータ（社内データ）設定部９２３は、自社特許管理システム３３が記憶する社内特許データへの検索条件指定画面への遷移に使用する。
【００８７】
また、［クリア］釦９２４は設定した検索条件をクリアして再設定することを可能とし、［ＣＳＶ出力］釦９２３は、設定した検索条件をＣＳＶ形式で出力する。［抽出］釦９２５は、指定された検索条件で特許文献の抽出を実行する。
【００８８】
図９の検索結果一覧表示画面は、図８の検索条件指定画面で検索条件を入力して、［抽出］釦９２５を押下した場合の検索結果表示画面の例を示す図である。
【００８９】
図９において、検索結果一覧表示画面は、全検索データを分母とし選択中のデータ番号を分子として表示する検索データ番号表示部１１０１と、選択中のデータの詳細表示を行う［詳細］釦１１０３と、選択データ番号を上下させるデータ選択部１１０５と、選択結果をテーマとして登録する［テーマ登録］釦１１０７と、［戻る］釦１１０９と、技術評価画面へ遷移する［技術評価］釦１１１１と、選択結果をＣＳＶ形式で出力する［ＣＳＶ出力］釦１１１３と、選択結果をマトリクスまたは３Ｄ棒グラフとして表示する［マトリクス／グラフ］釦１１１５と、検索結果の一覧を表示する一覧表示エリア１１１７と、一覧表示エリアの縦スクロールを指示する［縦スクロール］釦１１１９と、一覧表示エリアの横スクロールを指示する［横スクロール］釦１１２１とを備えている。
【００９０】
また、一覧表示エリア１１１７は、図９に示したデータ番号欄１１２３，公開番号欄１１２５，特許（公告）番号欄１１２７，登録番号欄１１２９，公表番号欄１１３１，国際公開番号欄１１３３，公開日欄１１３５，公表日欄１１３７，公告日欄１１３９，登録日欄１１４１以外に、特許文献の書誌データの内容が表示可能となっている。
【００９１】
そして、［詳細］釦１１０３を押下すると、図７に示したような選択されている特許文献の詳細情報（抄録、または全文及び全図）が一覧表示エリア１１１７の上にオーバレイされて表示されるようになっている。
【００９２】
次に、図６、図８及び図１５のフローチャートを参照して、本実施形態におけるリスト表示制御部１０の動作を説明する。
【００９３】
まずユーザが特許マップ作成プログラムを起動するか、特許マップファイル（特許マップブック）２１を開くと、ステップＳ１０２で、リスト表示制御部１１は、図示しないメイン画面（メニュー画面）をユーザ端末１の表示装置に表示する。
【００９４】
次いで、ユーザがステップＳ１０４でメイン画面中の［取り込みデータ一覧］釦をクリック（押下）すると、リスト表示制御部１１は、ステップＳ１０６で表示装置に図６に示したような取り込みデータ一覧表示画面をリスト表示する。
【００９５】
図６の取り込みデータ一覧表示画面で、取込日メニュー７０１で取り込み日を選択し、必要に応じて技術Ｇメニュー７０３，担当者メニュー７０５で技術グループ、担当者を選択した後、［抽出］釦７０７をクリックすると、選択した条件で公報が抽出され、公報の一覧表が画面下部の一覧表示エリア７２９にリスト表示される。
【００９６】
また、以前に作成された特許マップファイル（特許マップブック）２１を開くと、その特許マップファイルのデータシート４に格納された複数の特許文献が一覧表として、一覧表示エリア７２９にリスト表示される。
【００９７】
これらの表示状態で、ステップＳ１０８において、ユーザが、図６の取り込みデータ一覧表表示画面中の［出願人ソート］釦７２８をクリックすると、リスト表示制御部１１は、ステップＳ１１０からステップＳ１１６の一連の処理を行う。
【００９８】
ステップＳ１１０では、一覧表示中の複数の特許文献から、出願人毎に特許文献の件数を計数し、ステップＳ１１２において出願件数の多い順に出願人を並べ換え、ステップＳ１１４において並べ換えた出願人順に特許文献を並べ替えて、ステップＳ１１６においてへ並べ換ええられた特許文献を図６の一覧表示エリア７２９へリスト表示する（第１リスト表示制御手段）。
【００９９】
次いで、この表示状態で、ステップＳ１１８において、ユーザが［検索条件］釦７１９を単にクリックするか、或いは出願人欄７３９の或る出願人の名称をドラッグした後に［検索条件］釦７１９をクリックすると、図８に示すような検索条件指定画面へ移る。
【０１００】
図８の検索条件指定画面では、出願人指定欄９１５に指定された出願人による検索・抽出ができるようになっている。出願人の名称がドラッグされていれば、図８の出願人欄９１５に自動的にドラッグした内容が表示されるので、ステップＳ１２０において、ユーザは、これを確認したり修正したりする。出願人の名称がドラッグされていない場合には、キーボードから出願人欄９１５へ出願人の名称を入力する。
【０１０１】
次いで、ステップＳ１２２において、ユーザが図８の［抽出］釦９２５をクリックすると、リスト表示制御部１１は、ステップＳ１２４において、指定された出願人の特許文献を抽出し、ステップＳ１２６において、図６の一覧表示エリア７２９にリスト表示して、処理を終了する（第２リスト表示制御手段）。
【０１０２】
次に、図７、図１０〜図１２のキーワード検索画面の表示例、及び図１６のキーワード検索フローチャートを参照して、本実施形態におけるキーワード検索部１１の動作を説明する。
【０１０３】
まずユーザは、ステップＳ１５２において、図１５で説明したような操作により、リスト表示制御部１０に図６の一覧表示画面を表示させ、さらに一覧表示の中から任意の特許文献の詳細表示を行う図７の様な評価画面（詳細表示画面）を表示させる。次いで、ユーザは、ステップＳ１５４において、任意の文字列をキーワードとしてキーボードから入力するか、或いは、表示中の文字列からキーワードを指定するかを決めることにより、キーワードの入力方法を選択する。
【０１０４】
図７の画面から表示中の文字列からキーワードを指定する場合、ユーザはステップＳ１６２へ進み、表示画面中の文字列をマウスでドラッグし、ステップＳ１６４で図７の［キーワード検索］釦８３３をクリックする。
【０１０５】
［キーワード検索］釦８３３がクリックされると、これを認識したキーワード検索部１１は、ステップＳ１６６で図１０に示すようなキーワード検索画面を表示して、Ｓ１６８へ移る。
【０１０６】
図１０において、キーワード検索画面は、出願人選択窓１３０１と、追加検索キー表示窓１３０３と、［キー追加］釦１３０５と、［検索実行］釦１３１７と、検索対象選択窓１３１９と、検索結果表示窓１３２１とを備えている。
【０１０７】
出願人選択窓１３０１は、周知のプルダウンメニュー構成となっており、検索対象の特許文献群（図６で一覧表示された特許文献群）から出願人を多い順に並べたメニューから出願人を選択、又は全出願人を対象として選択指定できるようになっている。
【０１０８】
追加検索キー表示窓１３０３は、図１６のステップＳ１６２でドラッグされた文字列が追加するキーワードとして表示される。追加検索キー表示窓１３０３に表示された文字列は、ユーザ端末１のキーボードから変更可能となっている。
【０１０９】
［キー追加］釦１３０５は、追加検索キー表示窓１３０３に表示された文字列をキーワードとして追加することを指示する釦である。
【０１１０】
検索キー表示窓１３０７は、キーワードシート７（検索履歴記憶手段）に記憶されたキーワードをリスト表示する窓である。キーワードシート７には、キーワードに関連づけて、該キーワードによる検索結果として該キーワードがヒットした特許文献の出願番号、及びヒット率、ヒット数が記憶されている。さらにキーワードシート７に記憶されたキーワードは、ヒット数またはヒット率の大きいものから順序づけられていて、キーワードシート７を呼び出して表示した場合に、ヒット率の大きいものから順に表示装置に表示されるようになっている。
【０１１１】
検索キー表示窓１３０７は、それぞれのキーワードの文字列を表示する検索キー表示部１３０９と、各キーワード毎に設けられた、表示指示部１３１１、更新指示部１３１３、削除指示部１３１５とを備えている。
【０１１２】
表示指示部１３１１、更新指示部１３１３及び削除指示部１３１５は、カーソルを合わせて、マウスをクリックする度に、非選択状態を示すブランクと、選択状態を示すチェック印（∨）とが交互に表示されるようになっている。
【０１１３】
［検索実行］釦１３１７は、表示指示部１３１１にチェック印が付与されたキーワードにより特許文献群を検索して、該当する特許文献を検索結果表示窓１３２１へ表示させるものである。
【０１１４】
検索対象選択窓１３１９は、プルダウンメニュー構成となっており、それぞれ特許文献の全文、特許請求の範囲、特許請求の範囲第１項、目的及び効果、要約等をキーワード検索の対象範囲として指定することができるようになっている。検索結果表示窓１３２１は、後述する図１２のように検索結果を表示する。
【０１１５】
図１６のステップＳ１５４に戻って、図７の画面から任意の文字列を入力する場合、ユーザはステップＳ１５６へ進み、図７の［キーワード検索］釦８３３をクリックする。次いでステップＳ１５８において、キーワード検索部１１は、［キーワード検索］釦８３３がクリックされたことを認識すると、図１０に示したようなキーワード検索画面を表示装置へ表示する。次いでユーザは、ステップＳ１６０で、キーワード検索画面中の追加検索キー表示窓１３０３へ、キーワードとする文字列をキーボードから入力する。
【０１１６】
ステップＳ１６８では、その画面中の追加検索キー窓１３０３に、ステップＳ１６２でドラッグされた文字列（図示の例では、デリバリパイプ）、またはステップＳ１６０で入力された文字列を表示する。
【０１１７】
次いでステップＳ１７０では、ユーザは［キー追加］釦１３０５をクリックする。［キー追加］釦１３０５がクリックされると、キーワード検索部１１は、ステップＳ１７２において、追加キーワードをキーワードシート（図１のキーワードシート７、検索履歴記憶手段に相当）上に追加する。次いでステップＳ１７４で、キーワード検索部１１は、検索キー表示窓１３０７に追加したキーワードを表示する。この状態を図１１に示す。
【０１１８】
図１１では、キーワード検索部１１により、検索キー表示窓１３０７の２行目に［デリバリパイプ］という文字列がキーワードとして追加されているとともに、キーワード［デリバリパイプ］に対応する表示指示部１３１１にチェック印（∨）が付与されている。
【０１１９】
次いでユーザは、ステップＳ１７６で、同時検索するキーワードがあれば、そのキーワードに該当する表示指示部１３１１にチェック印（∨）を付与し、ステップＳ１７８で検索対象選択窓１３１９を使用して検索する特許文献の範囲を指定する。
【０１２０】
次いでユーザがステップＳ１８０で［検索実行］釦１３１７をクリックすると、キーワード検索部１１は、ステップＳ１８２で、指定された範囲で、各特許文献をキーワード検索する。ここで、複数キーワードの表示指示部１３１１にチェック印（∨）が付与されていれば、複数のキーワードのアンド（論理積）条件で検索を実行する。
【０１２１】
そしてキーワード検索部１１は、ステップＳ１８４で、キーワードと、該キーワードを含む特許文献と、検索対象の特許文献数に対するキーワードを含む特許文献数（言い換えればヒットした特許文献の数）、及びヒット率を検索履歴記憶手段であるキーワードシート７に格納する。このとき、キーワードのヒット率が高いものほど先になるようにキーワードの順序を入れ替えて、キーワードシート７に格納する。次いで、ステップＳ１８６で、検索結果及び検索統計データを図１２のように表示装置に表示して終了する。
【０１２２】
図１２は、キーワード検索部１１による検索結果表示例を示す図であり、この例では、キーワードとして［デリバリパイプ］が用いられ、ヒット率表示欄１３２９に表示されたヒット率は４．４％であり、ヒット数／全数表示欄１３３１に表示されたヒットした特許文献数（ヒット数）は３、検索対象の特許文献数（全数）は６８である（統計表示制御手段）。
【０１２３】
また図１２の検索結果表示窓１３２１には、特許文献のキーワード検索結果がリスト表示されている。この検索結果表示窓１３２１は、特許文献の公開番号を示す公開番号欄１３２３、発明の名称を示す名称欄１３２５、キーワード検索結果欄１３２７を備えている。キーワード検索結果欄１３２７には、当該キーワードを含むものには○、含まないものには×の表示が行われている（第３リスト表示制御手段）。
【０１２４】
さらに、図１２には、［最新／最古表示］釦１３３３が設けられ、この［最新／最古表示］釦１３３３がクリックされると、検索結果表示窓１３２１中の特許文献中のキーワード検索結果欄１３２７に○表示された各特許文献の出願日を相互に比較し、最新の出願日を有する特許文献と、最古の出願日を有する特許文献とを選び出し、最新特許文献と最古特許文献とを他の特許文献とはそれぞれ異なる色で表示装置に表示する。例えば他の特許文献が黒色で表示されている場合、最新特許文献を赤色で、最古特許文献を青色で表示する（最新最古表示制御手段）。
【０１２５】
また、キーワード検索結果を表示装置に表示する方法として、キーワードがヒットした特許文献のみを検索結果表示窓１３２１に表示するようにしてもよい（第３リスト表示制御手段）。この場合、検索に使用したキーワードの表示指示部１３１１に設定されたチェック印（∨）を外してブランクとした後に、［検索実行］釦１３１７をクリックすることにより、検索対象の全特許文献を検索結果表示窓１３２１に表示するようにしてもよい（表示復帰手段）。
【０１２６】
さらに、キーワード検索部１１に、キーワードで検索されなかった特許文献を表示させる機能を設けてもよい。例えば、図１２のキーワード検索画面の［検索実行］釦１３１７の付近に、［ミスヒット表示］釦を設ける。そして、［検索実行］釦１３１７によりキーワード検索を実行して、キーワードがヒットした特許文献が表示されている場合に、ユーザがこの［ミスヒット表示］釦をクリックすると、キーワード検索部１１からリスト表示制御部１０へ指示を出すことにより、直前のキーワード検索でヒットしなかった特許文献が検索結果表示窓１３２１へ表示される（第４リスト表示制御手段）。このミスヒット表示中は、前記［ミスヒット表示］釦は、［全件表示］釦に変わり、この［全件表示］釦をクリックすると、検索結果表示窓１３２１に表示される一覧表示は、キーワード検索前の全件表示に復帰する（表示復帰制御手段）。
【０１２７】
尚、図示しないメイン画面でユーザが［検索キーワード追加］釦をクリックしても図１６のステップＳ１５６と同様の作用により、ステップＳ１５８へ移り、その後の処理を行うことができるようになっている。
【０１２８】
次に、図１３、図１４の構成要件分解画面の表示例及び図１７の構成要件分解フローチャートを参照して、本実施形態における構成要件分解部１２の動作を説明する。
【０１２９】
図示しないメニュー画面から［構成要件分解］釦がクリックされると、図１３の構成要件分解画面が表示され、処理対象の各特許文献の特許請求の範囲第１項が読点で区切られた各構成要件に分解されて、構成要件毎に一行ずつ表示される。
【０１３０】
図１３において、構成要件分解画面は、検索文字列表示窓１４０１と、検索文字列表示窓１４０１に表示された文字列を有する構成要件を抽出すつための［抽出］釦１４０３と、後述する簡略表現欄１４１７に挿入する文字列を指定する簡略表現文字列表示窓１４０５と、簡略表現欄１４１７を一括して更新する［一括更新］釦１４０７と、後述する構成要件毎の更新指示欄１４１９にチェック印（∨）が設定された簡略表現欄に簡略表現文字列を挿入することを指示する［簡略表現個別更新］釦１４０９と、分解結果の構成要件毎に一行ずつ表示する構成要件表示窓１４１１とを備えている。
【０１３１】
構成要件表示窓１４１１は、分解した各構成要件毎に、出願番号を表示する出願番号表示欄１４１３と、構成要件の内容（文字列）を表示する構成要件表示欄１４１５と、構成要件毎にその中のキーワードに対応する慣用技術用語を挿入するための簡略表現欄１４１７と、構成要件毎に簡略表現欄を更新するか否かを指示する更新指示欄１４１９と、を備えている。
【０１３２】
図１７は、構成要件分解部１２による構成要件分解処理の動作を説明するフローチャートである。このフローチャートでは、処理対象の特許文献を識別する制御変数ｉと、特許文献中の構成要件を識別する制御変数ｊを使用している。ここで制御変数ｉは、構成要件分解処理の内部では、出願番号と１対１対応するものである。
【０１３３】
まずステップＳ２０２で、構成要件分解部１２は、処理対象の特許文献をリスト表示する。例えば特許マップファイルをエクセルのブックとして開いた場合には、このブックに含まれるデータシート４が収容する特許文献群を処理対象として認識し、表示装置へ特許文献の一覧表示が出力される。次いで、ステップＳ２０４で制御変数ｉの値を１に初期化する。ステップＳ２０６では、データシート４上のｉ番目の特許文献、または一覧表示中のｉ番目の特許文献が構成要件分解処理対象として選択される。次いでステップＳ２０８でｉ番目の特許文献の請求項１を読み込み、ステップＳ２１０で請求項１の中の句点（。）の数を計数し、ステップＳ２１２で句点の数が１か否かを判定する。通常の特許請求の範囲の記載方法では、請求項毎の句点の数は１であるが、例外もあるため判定する。
【０１３４】
ステップＳ２１２の判定がＮｏの場合には、人手介入により構成要件を分解するなどを行う例外処理へ移る。ステップＳ２１２の判定がＹｅｓの場合には、特許請求の範囲の記載方法が適当として、ステップＳ２１４へ進む。ステップＳ２１４では、構成要件識別用制御変数ｊを１に初期化する。ステップＳ２１６では、請求項１の文字列を一字ずつ取り出し、ステップＳ２１８で文字コードが読点（、）を示すか否かを判定する。ステップＳ２１８の判定で文字コードが読点でなければ、ステップＳ２２４へ移る。
【０１３５】
ステップＳ２１８の判定で文字コードが読点であれば、ステップＳ２２０へ進み、請求項１から読点までの句（文字列）を取り出して、タグ（ｉ，ｊ）とともに構成要件分解テーブルに記憶させる。読点までの句を取り出された請求項１の文字列は、取り出された句の分だけその長さが短くなって残る。ここで構成要件分解テーブルは、作業用の一時記憶であるが、構成要件分解テーブルを設けることなく、図１に示した構成要件分解シート８へ直接出力するようにしてもよい（構成要件記憶制御手段）。
【０１３６】
次いでステップＳ２２２で制御変数ｊを１だけ増加し、ステップＳ２１６へ戻る。
【０１３７】
ステップＳ２２４では、文字コードが句点（。）を示すか否かを判定する。ステップＳ２２４の判定で文字コードが句点でなければ、ステップＳ２１６へ戻り次の文字を処理する。
【０１３８】
ステップＳ２２４の判定で文字コードが句点であれば、請求項１の終端であると認識して、ステップＳ２２６へ進み、この句点までの句を取り出して、タグ（ｉ，ｊ）とともに構成要件分解テーブルに記憶させる（構成要件分解手段）。
【０１３９】
次いで、ステップＳ２２８で、制御変数ｉがリスト中の特許文献数であるｉmax に等しいか否かを判定する。ｉ≠ｉmax であれば、次の特許文献を処理するために、ステップＳ２３０でｉを１だけ増加し、ステップＳ２０６へ戻る。
【０１４０】
ステップＳ２２８の判定で、ｉ＝ｉmax であれば、処理対象の特許文献の構成要件分解が全て終了したので処理を終了する。尚、特にフローチャートでは示さないが、後処理として、作業用の構成要件分解テーブルから構成要件分解シート８への格納、及び構成要件分解結果の表示装置への表示がある。
【０１４１】
構成要件分解結果の表示装置への表示方法には、単純に分解した順序で表示する以外に、各構成要件の内容（文字列）に従って五十音順にソート（整列）した順序で各行を図１３の構成要件表示窓１４１１へ表示する方法や、出願番号でソートした順序で表示する方法がある（構成要件ソート手段）。
【０１４２】
図１４は、構成要件表示窓１４１１の簡略表現欄１４１７に、慣用技術用語を挿入する例を説明する図である。まず、ユーザは、分解した構成要件の文字列をドラッグしたりキーボードから入力することにより検索文字列表示窓１４０１に検索文字列を設定する。図１４の例では、「蓄圧配管」という文字列がキーワードとして検索文字列に設定されている。次いでユーザが［抽出］釦１４０３をクリックすると、構成要件分解部１２は、構成要件の文字列の中に「蓄圧配管」という文字列を含む構成要件を検索抽出して、構成要件表示窓１４１１に表示する（構成要件検索手段）。
【０１４３】
次いでユーザは、簡略表現文字列表示窓１４０５に簡略表現文字列として蓄圧配管に対応する慣用技術用語である「コモンレール」という文字列をキーボードから入力し、［一括更新］釦をクリックする。これにより構成要件分解部１２は、各構成要件毎に設けられた簡略表現欄１４１７にコモンレールという文字列を一括挿入する（簡略表現更新手段）。
【０１４４】
尚、個々の構成要件毎に簡略表現欄の個別更新も行うことができる。この場合には、構成要件表示窓１４１１の各行毎に設けられた更新指示欄１４１９と［簡略表現個別更新］釦１４０９を使用する。ユーザは、更新対象となる構成要件の更新指示欄１４１９をマウスでクリックすることによりチェック印（∨）を設定することにより、個々の構成要件毎に簡略表現欄１４１７簡略表現文字列を指定する。この更新指示欄１４１９は、カーソルを合わせて、マウスをクリックする度に、非選択状態を示すブランクと、選択状態を示すチェック印（∨）とが交互に表示されるようになっている。
【０１４５】
次いで、ユーザは、［簡略表現個別更新］釦１４０９をクリックする。これにより構成要件分解部１２は、更新指示欄１４１９にチェック印が設定された構成要件の簡略表現欄１４１７に、簡略表現文字列表示窓１４０５に設定された慣用技術用語を表す文字列（図１４の例では、「コモンレール」）を挿入することにより、簡略表現の個別更新を行うようになっている。
【図面の簡単な説明】
【０１４６】
【図１】本発明に係る特許マップ作成システムの実施形態のブロック構成を説明する構成図である。
【図２】特許マップ作成システムの全体の流れを説明する概略フローチャートである。
【図３】特許マップ作成システムが参照する特許分類評価システムのデータベース構成例を示すＥＲ図である。
【図４】特許マップ作成システムにおけるデータシートの例を説明する図である。
【図５】特許マップ作成システムにおけるＸＹリストシートの例を説明する図である。
【図６】担当設定画面または公報抽出画面におけるリスト表示例を示す図である。
【図７】評価画面の表示例を示す図である。
【図８】検索条件指定画面の例を示す図である。
【図９】検索結果一覧の例を示す図である。
【図１０】キーワード検索画面の例を示す図である。
【図１１】キーワード検索画面において新規キーワードを追加した例を説明する図である。
【図１２】キーワード検索画面において検索結果を表示した例を説明する図である。
【図１３】構成要件分解画面の例を示す図である。
【図１４】構成要件分解画面において、「蓄圧配管」に対応する慣用技術用語（コモンレール）を挿入する例を説明する画面である。
【図１５】リスト表示制御部の動作を説明するフローチャートである。
【図１６】キーワード検索部の動作を説明するフローチャートである。
【図１７】構成要件分解部の動作を説明するフローチャートである。
【符号の説明】
【０１４７】
１…ユーザ端末
２…特許マップ作成システム
３…表計算ソフト
４…データシート
５…ＸＹリストシート
６…マップシート
７…キーワードシート
８…構成要件分解シート
９…特許マップ入出力部
１０…リスト表示制御部
１１…キーワード検索部
１２…構成要件分解部
１３…詳細表示制御部
２１…特許マップファイル
２２…データ／ＸＹリストシート
２３…ＨＴＭＬ出力ファイル
２４…入力ファイル
２５…社内整理番号対応表
３１…公開特許情報検索システム
３２…特許分類・評価システム
３３…自社特許管理システム
３４…電子発明届システム
【図１】
2005208737.tif 000003
【図２】
2005208737.tif 000004
【図３】
2005208737.tif 000005
【図４】
2005208737.tif 000006
【図５】
2005208737.tif 000007
【図６】
2005208737.tif 000008
【図７】
2005208737.tif 000009
【図８】
2005208737.tif 000010
【図９】
2005208737.tif 000011
【図１０】
2005208737.tif 000012
【図１１】
2005208737.tif 000013
【図１２】
2005208737.tif 000014
【図１３】
2005208737.tif 000015
【図１４】
2005208737.tif 000016
【図１５】
2005208737.tif 000017
【図１６】
2005208737.tif 000018
【図１７】
2005208737.tif 000019